(57)【要約】      （修正有）【課題】マスク本来の機能を阻害することなく、皮膚の保湿を図ることができるとともに、呼吸を楽に行えるマスクを提供する。【解決手段】マスク本体２０と耳掛け部２５、２６とを備え、顔面に装着して口と鼻とを含む顔面の一部覆うマスク１０であって、マスク本体２０は、顔側に配置され通気性を備えるシート材から構成された内側通気部材２１と、外側に配置され通気性を備えるシート部材から構成される外側通気部材２２と、内側通気部材２１と外側通気部材２２との間に配置され、通気性を備えないシート材から構成された不通気部材２３とからなり、内側通気部材２１、外側通気部材２２及び不通気部材２３は同一形状であり、不通気部材２３は、装着時における鼻の位置から口の位置までに至り装着時において幅方向に拡開するスリット２４を備える。【選択図】図１
0003217056.tif 000002
【実用新案登録請求の範囲】
【請求項１】
マスク本体と耳掛け部とを備え、顔面に装着して口と鼻とを含む前記顔面の一部を覆うマスクであって、
前記マスク本体は、顔側に配置され通気性を備えるシート材から構成された内側通気部材と、外側に配置され通気性を備えるシート部材から構成される外側通気部材と、前記内側通気部材と前記外側通気部材との間に配置され、通気性を備えないシート材から構成された不通気部材とからなり、
前記内側通気部材、前記外側通気部材及び前記不通気部材は同一形状であり、
前記不通気部材は、装着時における鼻の位置から口の位置までに至り装着時において幅方向に拡開するスリットを備えたことを特徴とするマスク。
【請求項２】
前記スリットの上下端部において、前記不通気部材は幅方向において連続していることを特徴とする請求項１に記載のマスク。
【請求項３】
前記内側通気部材及び前記外側通気部材の少なくとも一方は、バクテリアバリア性、ウイルスバリア性、又は対花粉性を含む少なくとも一種類の機能を備える素材で形成されていることを特徴とする請求項１に記載のマスク。
【考案の詳細な説明】
【技術分野】
【０００１】
本考案は、保湿性を備えるマスクに関する。
【背景技術】
【０００２】
マスクは、顔面に装着して口と鼻を覆い、花粉、ＰＭ２.５等の粒子状物質、他の微細異物の吸入を防止し、更に装着者の呼気、咳、くしゃみによってウイルスや細菌を含んだ飛沫が飛散するのを防止する。またマスクは防寒や、ファッションとしても使用される。
【０００３】
一般にガーゼマスクは、マスク本体を構成する表側ガーゼ、裏側ガーゼ、これらに挟まれて配置されるフィルター素材を備える。また、マスクとして、マスク本体に不織布による多層構造を備えるものがある。
【０００４】
従来、寒気の吸入を防止するため、マスク本体に合成樹脂シートからなり通気性がないシートを配置したものが提案されている。
【０００５】
特許文献１には、寒気の直接の吸入を防止するため、左右に耳掛けが取付けられ通気性に富んだ布地を長方形に折畳んだマスク本体内にビニール、ポリエチレンフィルム等の軟質不可通気性フィルムを重合若しくは形成してなるとともに、軟質不可通気性フィルムの周辺部に通気孔を多数穿孔してなる衛生マスクが記載されている。
【０００６】
また、特許文献２には、寒気や臭気の直性の吸入を防止するため、本体の中央部のガーゼ部分に、１枚のビニール板を入れてある衛生マスクが記載されている。
【先行技術文献】
【特許文献】
【０００７】
【特許文献１】実開昭５５−１６６２５５号公報
【特許文献２】実開平６−６４６５８号公報
【考案の概要】
【考案が解決しようとする課題】
【０００８】
しかし、上述した従来のマスクは、寒気吸入を防止する等を目的とするために通気性がないシートを配置しているものであり、呼吸を楽に行える配慮がされていない。
【０００９】
また、マスクには、装着者の呼気に含まれる水蒸気をマスクの顔側に保持して、装着者の口、鼻周辺の皮膚から水分が蒸散するのを防止する保湿機能が要望される。
【００１０】
そこで本考案は、マスク本来の機能を阻害することなく、皮膚の保湿を図ることができるとともに、呼吸を楽に行えるマスクを提供することを課題とする。
【課題を解決するための手段】
【００１１】
前記課題を解決する請求項１に記載の考案は、マスク本体と耳掛け部とを備え、顔面に装着して口と鼻とを含む前記顔面の一部を覆うマスクであって、前記マスク本体は、顔側に配置され通気性を備えるシート材から構成された内側通気部材と、外側に配置され通気性を備えるシート部材から構成される外側通気部材と、前記内側通気部材と前記外側通気部材との間に配置され、通気性を備えないシート材から構成された不通気部材とからなり、前記内側通気部材、前記外側通気部材及び前記不通気部材は同一形状であり、前記不通気部材は、装着時における鼻の位置から口の位置までに至り装着時において幅方向に拡開するスリットを備えたことを特徴とするマスクである。
【００１２】
本考案によれば、内側通気部材と外側通気部材の間に配置された不通気部材は、装着者の呼気に含まれる水蒸気を顔側に保持し、皮膚から水分が蒸散するのを防止してマスクに覆われた顔面の皮膚を保湿する。また、不通気部材にはスリットが形成されており、スリットは、装着時における鼻の位置から口の位置までに至り、装着時において幅方向に開くので、装着者の呼吸は幅方向に開いたスリットを通るので呼吸が阻害されない。よって、マスク本来の機能を阻害することなく、皮膚の保湿を図ることができるとともに、呼吸を楽に行うことができる。
【００１３】
同じく請求項２に記載の考案は、前記スリットの上下端部において、前記不通気部材は幅方向において連続していることを特徴とする。
【００１４】
本考案によれば、スリットの上下端部において、不通気部材が連続しているため、装着時に不通気部材が幅方向に分離することがなく、マスクの型崩れが防止される。よって、型崩れに起因する装着不良が防止され、保湿性や呼吸に起因する異物の移動防止性が損なわれることがない。
【００１５】
同じく請求項３に記載の考案は、前記内側通気部材及び前記外側通気部材の少なくとも一方は、バクテリアバリア性、ウイルスバリア性、又は対花粉性を含む少なくとも一種類の機能を備える素材で形成されていることを特徴とする。
【００１６】
本考案によれば、内側通気部材及び外側通気部材は、バクテリアバリア性、ウイルスバリア性、又は対花粉性を備える。よって、マスクにより、バクテリア、ウイルス、花粉等の吸入を防止できる。
【考案の効果】
【００１７】
本考案に係るマスクによれば、マスク本来の機能を阻害することなく、皮膚の保湿を図ることができるとともに、呼吸を楽に行えるという効果を備える。
【００１８】
即ち、請求項１に記載のマスクによれば、内側通気部材と外側通気部材の間に配置された不通気部材は、装着者の呼気に含まれる水蒸気を顔側に保持し、皮膚から水分が蒸散するのを防止してマスクに覆われた顔面の皮膚を保湿する。また、不通気部材に形成されたスリットは、装着時における鼻の位置から口の位置までに至り、装着時において幅方向に開くので、装着者の呼吸は幅方向に開いたスリットを通り、呼吸が阻害されない。よって、皮膚の保湿を図ることができるとともに、呼吸を楽に行うことができる。
【００１９】
また、請求項２に記載のマスクによれば、スリットの上下端部において、不通気部材が連続しているため、装着時に不通気部材が幅方向に分離することがなく、マスクの型崩れを防止する。よって、型崩れに起因する装着不良が防止され、保湿性や呼吸に起因する異物の移動防止性が損なわれることがない。
【００２０】
そして、請求項３に記載のマスクによれば、内側通気部材及び外側通気部材は、バクテリアバリア性、ウイルスバリア性、又は対花粉性を備える。よって、マスクにより、バクテリア、ウイルス、花粉等の吸入を防止できる。
【図面の簡単な説明】
【００２１】
【図１】本考案の実施形態に係るマスクを示すものであり、（ａ）は非装着時におけるマスクの正面図、（ｂ）は（ａ）中のＢ−Ｂ線に相当する断面図、（ｃ）は（ａ）中のＣ−Ｃ線に相当する断面図である。
【図２】顔面に装着した状態の同マスクを示すものであり、（ａ）は顔面への装着状態を示す正面図、（ｂ）はスリットの開き状態を示す図１（ｂ）と同様の断面図である。
【図３】同マスクを構成する不通気部材を示すものであり、（ａ）は非装着時における正面図、（ｂ）は装着時における正面図である。
【考案を実施するための形態】
【００２２】
本考案を実施するための形態に係るマスクについて説明する。図１は本考案の実施形態に係るマスクを示すものであり、（ａ）は非装着時におけるマスクの正面図、（ｂ）は（ａ）中のＢ−Ｂ線に相当する断面図、（ｃ）は（ａ）中のＣ−Ｃ線に相当する断面図である。また、図２は顔面に装着した状態の同マスクを示すものであり、（ａ）は顔面への装着状態を示す正面図、（ｂ）はスリットの開き状態を示す図１（ｂ）と同様の断面図、図３は同マスクを構成する不通気部材を示すものであり、（ａ）は非装着時における正面図、（ｂ）は装着時における正面図である。
【００２３】
図１に示すように、マスク１０は、平形マスクである。マスク１０は、正面形状が横長の長方形のマスク本体２０と、このマスク本体２０の一方の短辺２０Ａに配置された耳掛け２５と、同じく他方の短辺２０Ｂに配置された耳掛け２６とから構成されている。本例では、マスク１０は、図２（ａ）に示すように、耳掛け２５を右耳４６に、耳掛け２６を左耳４７に引っかけて顔面４０Ｆに着用する。
【００２４】
マスク本体２０は、図２（ａ）に示すように、装着者４０の顔面４０Ｆに装着された状態で、口４１と鼻４２を含む部分を覆い、装着者の呼吸に起因する顔側（内側）と外側との間の異物の移動を防止する。即ち、マスク本体２０は、外部からの花粉、ＰＭ２.５等の粒子状物質、ウイルスや細菌を含む飛沫が装着者４０の吸気に含まれるのを防止する。また、マスク１０は、装着者４０の呼気に含まれるウイルスや細菌を含む飛沫が外部に飛散するのを防止する。
【００２５】
マスク本体２０は、内側通気部材２１と、外側通気部材２２と、不通気部材２３とを重ねて構成される。内側通気部材２１、外側通気部材２２、不通気部材２３の形状は、略同一、即ち装着者４０の口４１、鼻４２を含む顔面４０Ｆを覆うのに充分な大きさの横長の長方形状をなす。内側通気部材２１、外側通気部材２２、不通気部材２３は重ね合わせた状態で周囲を縫製加工、又は圧着加工で接合される。なお、図１、図２では、不通気部材２３を明示するため、不通気部材２３を内側通気部材２１及び外側通気部材２２の内側に破線で描いた。しかし、不通気部材２３の大きさは内側通気部材２１、外側通気部材２２と同じであるか、やや大きくても差し支えない。
【００２６】
内側通気部材２１及び外側通気部材２２は、通気性を備えるシート材、所定の径の粒子を捕集する不織布等から構成される。なお、内側通気部材２１、外側通気部材２２としてガーゼ等の布を使用することができる。
【００２７】
なお、内側通気部材２１、外側通気部材２２の他、内側通気部材２１又は外側通気部材２２に重ねて他の通気部材を配置することができる。これにより、通気部材を３層以上の多層構造にして微細粒子の捕集性能を向上させたり、各通気性部材に多様な機能を持たせたりすることができる。
【００２８】
また、内側通気部材２１、外側通気部材２２及び他の通気部材は、バクテリアバリア性、ウイルスバリア性、対花粉性を備える素材を選択することができる。
【００２９】
バクテリアバリア性のものとしては、銀イオン、銅イオンを含む素材が使用できる。また、ウイルスバリア性のものとしては、銀イオン、銅イオン、光チタンアバタイト、ヨード、天然ドロマイト、酵素、抗体を含む素材を使用できる。更に、対花粉性のものとしては、抗体、花粉を分解する素材を含む素材を使用できる。これらは、必要に応じて選択できる。
【００３０】
不通気部材２３は、図１（ｂ）、（ｃ）に示すように、内側通気部材２１と外側通気部材２２との間に配置される。不通気部材２３は、通気性がない素材、例えばポリエチレン、ポリ塩化ビニル等の軟質合成樹脂シートで構成される。不通気部材２３としてはなるべく薄い素材で形成することが望ましい。
【００３１】
図１（ｂ）、（ｃ）、図２（ｂ）、及び図３（ａ）に示すように、不通気部材２３には、スリット２４が形成される。スリット２４は、図２（ａ）に示すように、装着者４０がマスク１０を装着した状態で、口４１の位置から鼻４２の位置にまでに至る。このスリット２４は、図２（ａ）、（ｂ）、図３（ｂ）に示すように、顔面４０Ｆに装着してマスク本体２０が変形した状態で幅方向に拡開（図３（ｂ）中符号Ｗ）して、空気が楽に通過できる状態となる。これにより、口４１及び鼻４２の鼻孔４３、４４からの吸気及び呼吸を楽におこなえる。
【００３２】
また、図３（ａ）、（ｂ）に示すように、不通気部材２３おけるスリット２４の上下部は、幅方向において連続している。即ち、スリット２４の下端部２４Ａと、不通気部材２３の下辺２３Ａとの間、スリット２４の上端部２４Ｂと、不通気部材２３の上辺２３Ｂとの間には寸法ｄ（例えば１ｃｍ）の幅で連続している。
【００３３】
このため、マスク１０を顔面４０Ｆに装着したとき、マスク本体２０が顔面４０Ｆの形状に沿って変形しても、図３（ｂ）に示すように、不通気部材２３がスリット２４から幅方向に分離することがなく、マスク本体２０の型崩れが防止される。これにより型崩れに起因するマスク１０の装着不良が防止され、マスクの防塵機能や保湿機能が損なわれることがない。
【００３４】
本実施形態では、不通気部材２３は、スリット２４以外の箇所において水蒸気を透過しない。このため、スリット２４形成部以外のマスク本体２０の広い領域で装着者の呼気に含まれる水蒸気を内側に保持し、装着者の皮膚から水分の蒸散を防止する。これにより、皮膚を保湿することができる。
【００３５】
以上のように本実施形態に係るマスク１０によれば、マスク本来の機能を阻害することなく、皮膚の保湿を図ることができるとともに、呼吸を楽に行えるものとでき、また、装着時のマスクの型崩れを防止できる。更に、本実施形態に係るマスク１０によれば、バクテリア、ウイルス、花粉を等の吸入を防止できる。
【００３６】
なお、上記実施形態では、マスク本体２０の形状を長方形とした平形マスクとして説明したが、マスク本体２０にひだ（プリーツ）を形成したプリーツ型、人の顔の形状に沿った立体形状とした立体型マスクとすることができる。
【産業上の利用可能性】
【００３７】
本考案に係るマスクは、マスク本来の機能を阻害することなく、皮膚の保湿を図ることができるとともに、呼吸を楽に行えるものであり、産業上利用可能である。
【符号の説明】
【００３８】
１０：マスク
２０：マスク本体
２０Ａ：短辺
２０Ｂ：短辺
２１：内側通気部材
２２：外側通気部材
２３：不通気部材
２３Ａ：下辺
２３Ｂ：上辺
２４：スリット
２４Ａ：下端部
２４Ｂ：上端部
２５：耳掛け
２６：耳掛け
４０：装着者
４０Ｆ：顔面
４１：口
４２：鼻
４３、４４：鼻孔
４６：右耳
４７：左耳
【図１】
0003217056.tif 000003
【図２】
0003217056.tif 000004
【図３】
0003217056.tif 000005